(57)【特許請求の範囲】
【請求項１】
交差して設けられる紙通し経路の交差部近傍に角変位可能にして切換機構を設け、この切換機構を角変位することにより前記交差する紙通し経路の相互を選択的に連続するようにした輪転機の紙通し装置における切換装置において、
切換機構に、交差する各紙通し経路に沿って設けられた紙通しガイドの上流側と下流側とを連続させるべく２本のガイド溝を略直交して設けてなる第１の切換ガイド溝と、切換機構の周囲方向で互いに隣りあう紙通しガイドを連続するべく第１の切換ガイド溝の１本のガイド溝の両側に設けられるとともに、第１の切換ガイド溝の他の１本のガイド溝と略直角に交差する２本の曲線状ガイド溝からなる第２の切換ガイド溝とを設け、
前記切換機構を第１の切換ガイド溝にて紙通しガイドを連続させる第１の位置と、第２の切換ガイド溝にて紙通しガイドを連続させる第２の位置とに角変位させる駆動装置を備え、
切換機構を選択的に角変位して切換機構の切換ガイド溝を所望の紙通し経路に合わせて連続させるようにした
ことを特徴とする輪転機の紙通し装置における切換装置。
【請求項２】
第２の切換ガイド溝にて紙通しガイドを連続させる第２の位置が、１つの紙通しガイドが、この紙通しガイドに対して切換機構の周囲方向の両側で隣りあう２つの他の紙通しガイドのそれぞれに選択的に連続する２つの位置になるようにしたことを特徴とする請求項１記載の輪転機の紙通し装置における切換装置。
【発明の詳細な説明】
【０００１】
【発明の属する技術分野】
この発明は、ウェブ紙を交差する複数の紙通し経路に沿って紙通しする輪転機の紙通し装置において、紙通し経路の交差部近傍に設けられ、紙通しされるウェブ紙の紙通し方向を切換える切換装置に関するものである。
【０００２】
【従来の技術】
この種の切換装置としては、例えば、特公平６−８８６９５号公報、及び特許第２５２１３８５号公報に示されたものが知られている。
【０００３】
従来技術の前者（特公平９−８８６９５号公報）に開示されたものは、図１３、図１４、図１５に示すようになっている。図１３に示すものは、１つの上流側ガイド溝１と、３つの下流側ガイド溝２ａ、２ｂ、２ｃの間に、上流側ガイド溝１から下流側ガイド溝２ａ〜２ｃに至る３つの切換ガイド溝３ａ、３ｂ、３ｃを有する切換部材４が、前記両ガイド溝と直角方向に切換移動可能に配置されている。そしてこの切換部材４は、ブラケット５に支持され、直列に連結された２つの流体圧シリンダー６ａ、６ｂの作動により、３つの位置にわたって変位して、この切換部材４の３つの切換ガイド溝３ａ〜３ｃのうちの１つを上流側ガイド溝１に連続することにより、この上流側ガイド溝１が切換部材４を介して下流側ガイド溝２ａ〜２ｃのうちの１つのガイド溝に連続するようになっている。
【０００４】
前記切換部材４の切換作動により、図示しない紙通し部材は上流側ガイド溝１から選択された下流側ガイド溝２ａ〜２ｃのうちの１つのガイド溝へと走行することができるようになり、これにより、紙通し部材に接続されたウェブ紙が所定の紙通し経路に沿って紙通しされるようになっている。
【０００５】
また、図１４に示すものは、２つのガイド溝７ａ、７ｂが交差する位置に交差部材８を配置した交差装置であり、交差部材８に各ガイド溝７ａ、７ｂに連続するようにして設けた交差ガイド溝９ａ、９ｂを通って各ガイド溝７ａ、７ｂを通る紙通し部材を案内するようになっている。図１５に示すものは、３つのガイド溝１０ａ、１０ｂ、１０ｃを１つのガイド溝１１に合流するための合流装置であり、３つのガイド溝１０ａ〜１０ｃと１つのガイド溝１１の間に３つのガイド溝１０ａ〜１０ｃから１つのガイド溝１１に連続する合流ガイド溝１２ａ、１２ｂ、１２ｃを有する合流部材１３を配置した構成になっている。
【０００６】
また、従来技術の後者（特許第２５２１３８５号公報）に開示されたものは、図１６に示すようになっていて、放射状に配置された第１・第２・第３・第４のガイド溝１４ａ、１４ｂ、１４ｃ、１４ｄの交差部に、この各ガイド溝１４ａ〜１４ｄの相互を任意に連続する切換部材１５が回転可能に設けられた切換装置である。そしてこの切換部材１５は図示しない流体圧シリンダーにて所定角度ずつにわたって角変位されるようになっている。
【０００７】
そしてこの切換装置における切換部材１５には、交差点を介して直線状に対向する２つのガイド溝間を連続する直線状ガイド溝１６と、この直線状ガイド溝１６の両側に位置して、互いに隣接するガイド溝相互を連続する２つずつの曲線状ガイド溝１７ａ、１７ｂ、１７ｃ、１７ｄが設けてある。そしてこの両側の曲線状ガイド溝１７ａ〜１７ｄのそれぞれは、前記直線状ガイド溝１６が対向するガイド溝を連続している状態では、各ガイド溝１４ａ〜１４ｄに対してわずかに位相がずれた状態にして設けられている。
【０００８】
この従来技術の後者のものにあっては、交差点を介して直線状に対向するガイド溝相互を選択的に連続させる場合には、切換部材１５を略９０度変位（回転）させる。また、隣接するガイド溝の相互を連続させる場合には、前記直線状ガイド溝１６がガイド溝に連続する位置からわずかに角変位（回転）させる。
【０００９】
【発明が解決しようとする課題】
近年における輪転機の多色化、多頁化の傾向により、印刷部及び折部の近傍周辺のウェブ紙走行経路が繁雑化しており、印刷部及び折部近傍のウェブ紙走行経路の省スペース化が切望されている。特に印刷部から折部に至る走行経路には、数多くのガイドローラーが設定され、それらの間でウェブ紙が離散集合して案内されている。
【００１０】
そのような場所においては、例えば従来の技術の前者の場合、図１７に示すように、第１のガイドローラー１８ａから第２のガイドローラー１８ｂに至るガイド溝１９ａと、第３のガイドローラー１８ｃから第４のガイドローラー１８ｄに至るガイド溝１９ｂとが交差する場合には、図１８に示すように、この両ガイド溝１９ａ、１９ｂの交差部に交差部材８を設置する必要がある。また第１のガイドローラー１８ａから第４のガイドローラー１８ｄへ、及び第３のガイドローラー１８ｃから第２のガイドローラー１８ｂへの紙通し経路に対しては、それぞれのガイド溝２０ａ、２０ｂを必要とすると共に、各ガイドローラー１８ａ〜１８ｄのうち、上流側に位置する第１・第３のガイドローラー１８ａ、１８ｃには切換部材４を、また下流側に位置する第２・第４のガイドローラー１８ｂ、１８ｄには合流部材１３をそれぞれ設ける必要があった。
【００１１】
従って、この従来の技術では、自動紙通し装置を設置した場合、ガイドローラー間及びその近傍がその構成部品で非常に錯綜し、ガイドローラーの間隔などの変更が求められるなど、輪転機全体のスペースが増大してしまうという問題があった。
【００１２】
一方、従来の技術の後者に開示されたものでは、図１６に示すようになっていて、前述したように、交差点を介して直線状に対向するガイド溝相互を選択的に連続させる場合には、切換部材１５を略９０度にわたって角変位（回転）させなければならず、また、隣接するガイド溝の相互を連続させる場合には、前記対向するガイド溝の場合よりはるか小さい角度に角変位（回転）させるようにしている。
【００１３】
従ってこの装置により交差装置の機能と切換装置の機能を持たせるためには、複数位置に小さな角度で変位するための動作手段と、略９０度と大きな角度で変位するための動作手段が必要となり、装置の構成が複雑になると共に、コスト高になるという問題があった。
【００１４】
この発明は以上記載した課題を解消し、正確に動作する輪転機の自動紙通し装置の切換装置を提供することを目的とするものである。
【００１５】
【課題を解決するための手段】
前記目的を達成するために、この発明に係る輪転機の自動紙通し装置の切換装置は、交差して設けられる紙通し経路の交差部近傍に角変位可能にして切換機構を設け、この切換機構を角変位することにより前記交差する紙通し経路の相互を選択的に連続するようにした輪転機の紙通し装置における切換装置において、
切換機構に、交差する各紙通し経路に沿って設けられた紙通しガイドの上流側と下流側とを連続させるべく２本のガイド溝を略直交して設けてなる第１の切換ガイド溝と、切換機構の周囲方向で互いに隣りあう紙通しガイドを連続するべく第１の切換ガイド溝の１本のガイド溝の両側に設けられるとともに、第１の切換ガイド溝の他の１本のガイド溝と略直角に交差する２本の曲線状ガイド溝からなる第２の切換ガイド溝とを設け、前記切換機構を第１の切換ガイド溝にて紙通しガイドを連続させる第１の位置と、第２の切換ガイド溝にて紙通しガイドを連続させる第２の位置とに角変位させる駆動装置を備え、切換機構を選択的に角変位して切換機構の切換ガイド溝を所望の紙通し経路に合わせて連続させるようにした構成になっている。
【００１６】
そして前記構成において、第２の切換ガイド溝にて紙通しガイドを連続させる第２の位置が、１つの紙通しガイドが、この紙通しガイドに対して切換機構の周囲方向の両側で隣りあう２つの他の紙通しガイドのそれぞれに選択的に連続する２つの位置になるようにした構成になっている。
【００１７】
【作  用】
複数の交差する紙通し経路に沿って設けられた紙通しガイドは、紙通し経路の交差部近傍に設けた切換装置の切換機構を角変位することにより、１つの前記紙通しガイドが切換機構を介して他の紙通しガイドへ切換え連続される。
【００１８】
このとき、駆動装置により、切換機構が第１の位置となることにより、第１の切換ガイド溝が交差する各紙通しガイドに対応されて、この交差する各紙通しガイドの上流側と下流側とが連続される。
【００１９】
一方、切換機構が第２の位置となることにより、切換機構の周囲方向に互いに隣りあう紙通し経路が連続される。このとき、前記第２の位置が、１つの紙通しガイドを切換機構の周囲方向の両側で隣りあう他の紙通しガイドのそれぞれに選択的に連続する２つの位置になるようにすることにより、この２つの第２の位置により、１つの紙通しガイドを、これの両側で隣りあう紙通しガイドの双方に選択的に連続することができる。
【００２０】
前記紙通しガイドの切換え時における切換機構の変位角は、第１の位置と第２の位置の相互間では略同一（４５度）である。
【００２１】
【発明の実施の形態】
この発明について、その１つの実施の形態を図１乃至図１２を参照して説明する。
図１２は、この発明を適用しようとする輪転機の一例を概略的に示すもので、この輪転機は給紙部Ｓ、印刷部Ｐ及び折部Ｆをそれぞれ１乃至複数個連係すると共に、複数のガイドローラーＧＲ及びターンバーＴＢ等によって経路付けされ、かつ途中で分岐され、交差され、及び合流されて前記給紙部Ｓから印刷部Ｐ及び折部Ｆにわたるウェブ紙２５の所定の紙通しガイドが形成されている。そして前記分岐部には分岐用の切換部材４が、交差部には切換装置２６が、また合流部には合流部材１３が設けてある。
【００２２】
前記紙通しガイドは図４に示すようになっていて、輪転機のフレーム２９の内側面には柱状のブラケット３０が紙通しガイドに沿って多数個取り付けられ、この各ブラケット３０の先端に板材３１がフレーム２９の内側面と平行にして固定されている。そしてこの板材３１に、各紙通し経路全域にわたる紙通しガイド３２が、適宜の間隔毎にコ字状のガイド支持ブラケット３３を介して前記フレーム２９と平行にして支持されている。この紙通しガイド３２は、紙通し経路方向に設けられる長尺の一対のガイド部材３４ａ、３４ｂにて形成されている。そしてこの両ガイド部材３４ａ、３４ｂは紙通しされるウェブ紙２５の垂直方向に適宜の間隔で、すなわち後述する紙通し部材３５の厚さより適宜広い間隔を有して平行に配置され、この間隔に挿入された紙通し部材３５が走行し得るようになっている。
【００２３】
各紙通しガイド３２には、これに沿って少なくとも紙通し部材３５の長さより短いピッチで、少なくとも一方を駆動ローラーとした一対のローラーからなる走行駆動装置（図示せず）が設けてあり、この走行駆動装置のローラー対に挟まれて送られる紙通し部材３５が紙通しガイド３２にて案内されて走行するようになっている。
【００２４】
紙通し部材３５は図５に示すように、走行方向先端部において側方へ突出したウェブ紙貼り付け部３６が形成された適宜の長さの可撓性帯板にて構成されている。そしてこの紙通し部材３５の走行方向両側には、複数の案内ピン３７、３８がそれぞれ表裏に突出して列状に設置されている。この両ピン列を構成する案内ピン３７、３８の間隔は紙通しガイド３２の幅ｔより少し広くなっていて、この紙通しガイド３２を両側から挟むように位置され、従って紙通し部材３５はガイド部材３４ａ、３４ｂにより案内され、かつ案内ピン３７、３８による２列のピン列によりガイド部材３４ａ、３４ｂに対するウェブ紙２５の幅方向の変位が規制されて走行するようになっている。紙通し部材３５は、これのウェブ紙貼り付け部３６がブラケット３３とは反対側に突出するように挿入され、ウェブ紙貼り付け部３６にウェブ紙２５の側縁先端部を貼り付けることにより両者が接続されるようになっている。
【００２５】
図１乃至図３はこの発明の切換装置２６を示すもので、ブラケット３０にてフレーム２９に支持された板材３１に支持された切換機構４４及び駆動装置４５とからなっている。切換機構４４は板材３１に設けたボス部材３９に軸受４０を介して支持された回転軸４１と、回転軸４１の先端で、かつフレーム２９とは反対側に位置させて固定された基台４２と、この基台４２に複数の支柱４３にて支持された溝板４４ａとからなり、回転軸４１の他端に連結された駆動装置４５によってこの回転軸４１が所定の回転角にわたって角変位させられるようになっている。
【００２６】
切換装置２６は互いに交差する、例えば直交する２本のガイド溝の交差部に設けられている。すなわち、図１に示すように、略直線方向に対向する第１・第２のガイド溝３２ａ、３２ｂと、略直線方向に対向する第３・第４のガイド溝３２ｃ、３２ｄのそれぞれの対向間に位置されている。各ガイド溝３２ａ〜３２ｄを構成するガイド部材３４ａ、３４ｂの切換装置２６との対向部はガイド支持部材４６にて支持されている。そしてこのガイド支持部材４６は図４に示すように、ガイド支持ブラケット３３にて板材３１に支持されている。
【００２７】
溝板４４ａには、２本の直線状ガイド溝４７ａ、４７ｂを交差させて設けた第１の切換ガイド溝４７と、この第１の切換ガイド溝４７の一方の直線状ガイド溝４７ｂの両側に位置し、他方の直線状ガイド溝４７ａを横切る２本の半円形状の曲線状ガイド溝４８ａ、４８ｂからなる第２の切換ガイド溝４８とが設けてある。
【００２８】
前記第１の切換ガイド溝４７の両直線状ガイド溝４７ａ、４７ｂの交差角は第１・第２のガイド溝３２ａ、３２ｂと、第３・第４のガイド溝３２ｃ、３２ｄとの交差角度と同じ角度になっていて、切換機構４４を角変位して一方の直線状ガイド溝が第１・第２のガイド溝３２ａ、３２ｂと連続する状態では他方の直線状ガイド溝４７ｂが第３・第４のガイド溝３２ｃ、３２ｄに連続するようになっている。
【００２９】
一方第２の切換ガイド溝４８は、曲線状ガイド溝４８ａ、４８ｂの一端を、例えば第１・第３のガイド溝３２ａ、３２ｃに連続させることにより、それぞれの他端は、前記ガイド溝３２ａ、３２ｃに切換機構４４の周囲方向で互いに隣接する第２・第４のガイド溝３２ｂ、３２ｄに連続するようになっている。そして各曲線状ガイド溝４８ａ、４８ｂは直線状ガイド溝４７ａ、４７ｂとの交差点において、曲線状ガイド溝４８ａ、４８ｂの中心線の接線が、直線状ガイド溝４７ａの中心線と略直角に交差するようになっている。
【００３０】
前記第１・第２の切換ガイド溝４７、４８は溝板４４ａの厚さ方向に貫通していることにより、この溝板４４ａはこれの各切換ガイド溝４７、４８にて分割された複数の細片にて構成され、それぞれの細片は個々に支柱４３を介してボルトにて基台４２に固定されている。
【００３１】
前記したガイド支持部材４６と溝板４４ａの厚さ（ウェブ紙２５の幅方向寸法）はガイド部材３４ａ〜３４ｄの幅ｔと略同一になっていて、ガイド部材３４ａ〜３４ｄに案内されてきた紙通し部材３５が、これの案内ピン３７、３８による２列のピン列に案内されてこのガイド支持部材４６から溝板４４ａの各ガイド溝をスムーズに通るようになっている。
【００３２】
切換装置２６の切換機構４４を角変位するための駆動装置４５は、回転軸４１に取り付けられた２つのアーム４９ａ、４９ｂを有する揺動体４９と、板材３１にブラケット５０を介して基端を角変位可能に連結し、先端を揺動体４９の一方のアーム４９ａの先端にヨーク５１を介して連結した流体圧シリンダー５２と、揺動体４９の他方のアーム４９ｂの角変位方向両側に角変位方向に対向して設けられた第１・第２のストッパー５３ａ、５３ｂとからなっている。この各ストッパー５３ａ、５３ｂは板材３１に取り付けたブラケット５４ａ、５４ｂにねじ込まれたねじ体にて構成されていて、これのねじ込み深さによりストッパー位置を変えることができるようになっている。
【００３３】
流体圧シリンダー５２は前記揺動体４９のアーム４９ｂが両ストッパー５３ａ、５３ｂに当接する範囲（略４５度）にわたって角変位する長さでストロークするようになっている。
【００３４】
この切換装置２６の駆動装置４５の作動と切換機構４４の角変位位置について、図１、図３、図６及び図７を参照して以下に説明する。流体圧シリンダー５２を短縮作動することにより、切換機構４４は揺動体４９の他方のアーム４９ｂが第１のストッパー５３ａに当接する第１の位置（イ）まで角変位する。この第１の位置（イ）での切換機構４４は図６に示すようになり、第１の切換ガイド溝４７の一方の直線状ガイド溝４７ａにて第１・第２のガイド溝３２ａ、３２ｂの双方を、また他方の直線状ガイド溝４７ｂにて第３・第４のガイド溝３２ｃ、３２ｄの双方をそれぞれ連続する状態となる。
【００３５】
この状態は、連続した紙通しガイドを通ってきた紙通し部材３５がウェブ紙２５を引いて第１のガイドローラー５５ａを経て第１のガイド溝３２ａより切換機構４４の一方の直線状ガイド溝４７ａを通って第２のガイド溝３２ｂへ通り、第２のガイドローラー５５ｂへ至る紙通し経路へ紙通しされる。すなわち、第１のガイドローラー５５ａから第２のガイドローラー５５ｂへの第１の紙通し経路ａの紙通しが行われる。
【００３６】
または、この状態で、紙通し部材３５は前記連続した紙通しガイドをウェブ紙２５を引いて第３のガイドローラー５５ｃを経て第３のガイド溝３２ｃより切換装置２６の他方の直線状ガイド溝４７ｂを通って第４のガイド溝３２ｄへ通り、第４のガイドローラー５５ｄへ至る紙通し経路へ紙通しされる。すなわち、第３のガイドローラー５５ｃから第４のガイドローラー５５ｄへの紙通し経路ｂの紙通しが行われる。つまり、この状態での紙通しは直交する両紙通し経路のいずれか一方を選択して行われる。
【００３７】
流体圧シリンダー５２を伸長作動することにより、切換部材４４は揺動体４９の他方のアーム４９ｂが第２のストッパー５３ｂに当接する第２の位置（ロ）まで角変位する（図３）。この第２の位置（ロ）での切換機構４４は図１、図７に示すようになり、第２の切換ガイド溝４８の一方の曲線状ガイド溝４８ａにて第１・第４のガイド溝３２ａ、３２ｄの双方が、他方の曲線状ガイド溝４８ｂにて第２・第３のガイド溝３２ｂ、３２ｃの双方が連続される状態となる。
【００３８】
この状態は、紙通し部材３５がウェブ紙２５を引いて第１のガイドローラー５５ａを経て第１のガイド溝３２ａより切換機構４４の一方の曲線状ガイド溝４８ａを通って第４のガイド溝３２ｄへ通り、第４のガイドローラー５５ｄへ至る紙通し経路へ紙通しされる。すなわち、第１のガイドローラー５５ａから第４のガイドローラー５５ｄへの紙通し経路ｃの紙通しが行われる。
【００３９】
また、この状態で、同時に紙通し部材３５がウェブ紙２５を引いて第３のガイドローラー５５ｃを経て第２のガイド溝３２ｂより切換装置２６の他方の直線状ガイド溝４８ｂを通って第２のガイド溝３２ｂへ通り、第２のガイドローラー５５ｂへ至る紙通し経路の紙通しが行われる。すなわち、第３のガイドローラー５５ｃから第２のガイドローラー５５ｂへの紙通し経路ｄの紙通しが可能である。
【００４０】
前記した第１・第２の位置（イ）、（ロ）の停止位置の調整は、ストッパー５３ａ、５３ｂのねじ込み高さ及び、流体圧シリンダー５２の先端と揺動体４９とを連結するヨーク５１の連結長さを調整することにより行う。
【００４１】
図８乃至図１１はこの発明の変形構成を示す。この変形構成は切換装置２６の切換位置を、前記した実施の形態における第１・第２の位置のうち、第２の位置を２つ設定できるようにしたものである。
【００４２】
切換装置２６の駆動装置４５の流体圧シリンダー５２′は２つ（第１・第２）のシリンダー５２ａ、５２ｂをそれぞれのボトム側を対向して結合した構成となっていて、両シリンダー５２ａ、５２ｂを個々に、及び同時に伸縮作動させることにより、これの停止位置を第１の位置及び２つの第２位置の３段階に得ることができるようになっている。
【００４３】
この駆動装置４５の作動と切換機構４４の角変位角位置について、図８、図９、図１０を参照して説明する。まず、両シリンダー５２ａ、５２ｂの一方のみが伸長状態にあるときには図８に示すようになり、流体圧シリンダー５２′は中間長となり、このときの切換機構４４は、前記した実施の形態の場合の図６に示した状態と同じ第１の位置（イ）となって第１の切換ガイド溝４７が用いられ、第１のガイド溝３２ａからのウェブ紙２５は第２のガイド溝３２ｂへ、第３のガイド溝３２ｃからのウェブ紙２５は第４のガイド溝３２ｄへのそれぞれの紙通し経路のいずれかが選択された紙通しが行われる。
【００４４】
また、第１・第２のシリンダー５２ａ、５２ｂの双方が伸長状態にあるときには図９に示すようになり、流体圧シリンダー５２′は最長状態となり、このときの切換機構４４は図８に示した第１の位置（イ）から４５度角変位し、前記した実施の形態の場合の、図１、図３、図７に示した第２の位置（ロ）と同じ一方の第２の位置（ロ）′となって第２の切換ガイド溝４８が用いられ、第１のガイド溝３２ａからのウェブ紙２５は第４のガイド溝３２ｄへ、第３のガイド溝３２ｃからのウェブ紙２５は第２のガイド溝３２ｂへそれぞれ紙通しが可能である。
【００４５】
また、第１・第２のシリンダー５２ａ、５２ｂの双方が短縮状態にあるときには、図１０に示すようになり、流体圧シリンダー５２′は最短状態となり、このときの切換機構４４は図９に示した状態から９０度角変位して他方の第２の位置（ハ）となって同じく第２の切換ガイド溝４８が用いられ、第２の切換ガイド溝４８の一方の曲線状ガイド溝４８ａにて第１・第３の両ガイド溝３２ａ、３２ｃが接続される。また他方の曲線状ガイド溝４８ｂにて第２・第４の両ガイド溝３２ｂ、３２ｄが接続される。
【００４６】
従ってこの他方の第２の位置（ハ）の状態では図１１に示すようになり、紙通し部材３５がウェブ紙２５を引いて第１のガイドローラー５５ａを経て第１のガイド溝３２ａより一方の曲線状ガイド溝４８ａを通って第３のガイド溝３２ｃへ通り、第３のガイドローラー５５ｃへ至る紙通し経路へ紙通しされる。すなわち、第１のガイドローラー５５ａから第３のガイドローラー５５ｃへの紙通し経路ｅの紙通しが行われる。
【００４７】
また、この状態で、同時に紙通し部材３５がウェブ紙２５を引いて第４のガイドローラー５５ｄを経て第４のガイド溝３２ｄより他方の曲線状ガイド溝４８ｂを通って第２のガイドローラー５５ｂへ至る紙通し経路ｆの紙通しが可能である。
【００４８】
前記作動において、図９、図１０に示した一方及び他方の第２の位置（ロ）′、（ハ）は図３に示したものと同様に揺動体４９がストッパー５３ａ、５３ｂに当接することにより位置決めがなされ、また図８に示した第１の位置（イ）は、流体圧シリンダー５２′の一方のシリンダーの伸長ストロークによって位置決めされる。そして一方及び他方の第２の位置（ロ）′、（ハ）における停止位置の調整はストッパー５３ａ、５３ｂのねじ込み高さ及び、流体圧シリンダー５２′の先端と揺動体４９とを連結するヨーク５１の連結長さを調整することによって行う。また第１の位置（イ）の停止位置の調整はヨーク５１の連結長さを調整することにより行う。
【００４９】
前記駆動装置４５の液体圧シリンダー５２、５２′の各作動は図示しない自動紙通し装置の制御装置よりの作動信号にて行われるようになっている。
【００５０】
前記したこの発明によれば、図６、図７に示すように、第１・第３のガイドローラー５５ａ、５５ｃを経て第１・第３のガイド溝３２ａ、３２ｃを上流側として紙通しする際に、第１のガイドローラー５５ａから第２のガイドローラー５５ｂへの紙通し経路ａと、第３のガイドローラー５５ｃから第４のガイドローラー５５ｄへの紙通し経路ｂ、及び第１のガイドローラー５５ａから第４のガイドローラー５５ｄあるいは第３のガイドローラー５５ｃから第２のガイドローラー５５ｂのいずれかの３通りの紙通し経路を分岐装置及び合流装置を用いることなしに選択することができる。
【００５１】
また、この発明の変形構成によれば、前記した図６、図７に示した作動のほかに、図１１に示すように、第１・第４のガイドローラー５５ａ、５５ｄを経て第１・第４のガイド溝３２ａ、３２ｄを上流側として紙通しする際に、第１のガイドローラー５５ａから第３のガイドローラー５５ｃへの紙通し経路ｅと、第４のガイドローラー５５ｄから第２のガイドローラー５５ｂへの紙通し経路ｆを、分岐装置及び合流装置を用いることなしに選択することができる。
【００５２】
これらのことから、この発明では分岐装置及び合流装置を用いないことにより、従来技術に比較して、大幅に省スペース化できる。また、従来技術にあるように、切換装置の複数の小きざみの変位と大きな変位の組み合わせによる複雑な機構が不要となる。また、切換ガイド溝の形状が比較的簡単なので、製作が容易である。従って製作コストの削減に効果がある。
【００５３】
また、切換装置２６を切換え操作する駆動装置４５の構成に、流体圧シリンダーとねじ調整式のストッパーを用いたことにより、これの構成が簡単になると共に、切換装置２６の切換位置を正確に決めることができる。
【００５４】
以上説明した実施の形態において、第１の切換ガイドの両直線状ガイド溝の交差角を直角にし、また切換え作動角を４５度にした例を示した。
【００５５】
本発明は以上記載の実施の形態に限定されるものではなく、特許請求の範囲を逸脱しない設計上の改変を含むものである。
【００５６】
【発明の効果】
この発明によれば、複数の紙通し経路が交差する部分でのウェブ紙の切換操作を１つの切換装置にて行うことができ、また分岐手段及び合流手段を省くことができるので、従来技術に比較して大幅に省スペース化できる。
【００５７】
また、紙通し経路の切換操作が、略４５度ずつ同一角変位にて行うことができることにより、この紙通し経路を切換えるための切換装置の機構を簡単にすることができる。
【００５８】
更に、本発明によれば、第１の切換ガイド溝が、略直交する２本のガイド溝よりなり、第２のガイド溝が、第１の切換ガイド溝の１本のガイド溝の両側に設けられるとともに、第１の切換ガイド溝の他の１本のガイド溝と略直角に交差する２本の曲線状ガイド溝よりなることにより、切換機構の各ガイド溝の交差角がすべて略直角になり、ガイド溝の交差部分で紙通し部材が予定したガイド溝を外れて他のガイド溝に侵入するおそれをほとんどなくすことができ、確実に予定した紙通し経路に紙通しすることができる。
【図面の簡単な説明】
【図１】この発明の実施の形態における切換装置を示す平面図である。
【図２】図１のＡ−Ａ断面図である。
【図３】図２のＢ−Ｂ断面図である。
【図４】図２のＣ−Ｃ断面図である。
【図５】この発明の実施の形態における紙通し部材を示す斜視図である。
【図６】この発明の実施の形態における切換装置周辺の紙通し形態を示す説明図である。
【図７】この発明の実施の形態における切換装置周辺の紙通し形態を示す説明図である。
【図８】この発明の実施の形態の変形構成における切換装置の作動状況を示す説明図である。
【図９】この発明の実施の形態の変形構成における切換装置の作動状況を示す説明図である。
【図１０】この発明の実施の形態の変形構成における切換装置の作動状況を示す説明図である。
【図１１】この発明の実施の形態の変形構成における切換装置の周辺の紙通し形態を示す説明図である。
【図１２】この発明を適用しようとする輪転機を示す全体説明図である。
【図１３】従来の分岐手段を概略的に示す説明図である。
【図１４】従来の交差手段を概略的に示す説明図である。
【図１５】従来の合流手段を概略的に示す説明図である。
【図１６】他の従来の分岐手段を概略的に示す説明図である。
【図１７】紙通し経路の一例を示す説明図である。
【図１８】従来の交差手段周辺の紙通し形態の説明図である。
【符号の説明】
１…上流側ガイド溝、２ａ、２ｂ、２ｃ…下流側ガイド溝、３ａ、３ｂ、３ｃ…切換ガイド溝、４…切換部材、５…ブラケット、６ａ、６ｂ…流体圧シリンダー、７ａ、７ｂ…ガイド溝、８…交差部材、９ａ、９ｂ…交差ガイド溝、１０ａ、１０ｂ、１０ｃ、１１…ガイド溝、１２ａ、１２ｂ、１２ｅ…合流ガイド溝、１３…合流部材、１４ａ、１４ｂ、１４ｃ、１４ｄ…ガイド溝、１５…切換部材、１６…直線状ガイド溝、１７ａ、１７ｂ、１７ｃ、１７ｄ…曲線状ガイド溝、１８ａ、１８ｂ、１８ｃ、１８ｄ…ガイドローラー、１９ａ、１９ｂ、２０ａ、２０ｂ…ガイド溝、２５…ウェブ紙、２６…切換装置、２９…フレーム、３０…ブラケット、３１…板材、３２…紙通しガイド、３２ａ、３２ｂ、３２ｃ、３２ｄ…ガイド溝、３３…ガイド支持ブラケット、３４ａ、３４ｂ…ガイド部材、３５…紙通し部材、３６…ウェブ紙貼り付け部、３７、３８…案内ピン、３９…ボス部材、４０…軸受、４１…回転軸、４２…基台、４３…支柱、４４…切換機構、４４ａ…溝板、４５…駆動装置、４６…ガイド支持部材、４７…第１の切換ガイド溝、４７ａ、４７ｂ…直線状ガイド溝、４８…第２の切換ガイド溝、４８ａ、４８ｂ…曲線状ガイド溝、４９…揺動体、４９ａ、４９ｂ…アーム、５０…ブラケット、５１…ヨーク、５２、５２′…流体圧シリンダー、５２ａ、５２ｂ…シリンダー、５３ａ、５３ｂ…ストッパー、５５ａ、５５ｂ、５５ｃ、５５ｄ…ガイドローラ、Ｓ…給紙部、Ｐ…印刷部、ＧＲ…ガイドローラー、ＴＢ…ターンバー、ａ、ｂ、ｃ、ｄ、ｅ、ｆ…紙通し経路、（イ）、（ロ）、（ハ）…切換装置の切換停止位置。
【図１】
0003677620.tif 000002
【図２】
0003677620.tif 000003
【図３】
0003677620.tif 000004
【図４】
0003677620.tif 000005
【図５】
0003677620.tif 000006
【図６】
0003677620.tif 000007
【図７】
0003677620.tif 000008
【図８】
0003677620.tif 000009
【図９】
0003677620.tif 000010
【図１０】
0003677620.tif 000011
【図１１】
0003677620.tif 000012
【図１２】
0003677620.tif 000013
【図１３】
0003677620.tif 000014
【図１４】
0003677620.tif 000015
【図１５】
0003677620.tif 000016
【図１６】
0003677620.tif 000017
【図１７】
0003677620.tif 000018
【図１８】
0003677620.tif 000019